(57)【要約】【課題】クリープ防止性能を向上させることができる転がり軸受を提供する。【解決手段】内周面に外輪軌道面を有する外輪１１と、外周面に内輪軌道面を有する内輪１２と、前記外輪軌道面と前記内輪軌道面との間に転動自在に配設される複数の転動体と、を備える転がり軸受１０であって、外輪１１の外周面および内輪１２の内周面の形状が、該周面から回転中心までの寸法が周方向で異なる部分を有する正方形状とされている。【選択図】図１
2009052588.tif 000002
【特許請求の範囲】
【請求項１】
内周面に外輪軌道面を有する外輪と、外周面に内輪軌道面を有する内輪と、前記外輪軌道面と前記内輪軌道面との間に転動自在に配設される複数の転動体と、を備える転がり軸受であって、
前記外輪の外周面および前記内輪の内周面のうちの少なくとも一方の周面の形状が、該周面から回転中心までの寸法が周方向で異なる部分を有する形状である
ことを特徴とする転がり軸受。
【発明の詳細な説明】
【技術分野】
【０００１】
本発明は、例えば電装装置等の回転支持部に用いられる高速回転用の転がり軸受に関する。
【背景技術】
【０００２】
従来のこの種の転がり軸受は、図８に示すように、内周面に外輪軌道面１ａを有する外輪１と、外周面に内輪軌道面２ａを有する内輪２と、外輪軌道面１ａと内輪軌道面２ａとの間に保持器４を介して転動自在に配設される複数の転動体３と、外輪１の軸方向の両端部内周面にそれぞれ装着されたシール部材５とを備えており、外輪１の外周面および内輪２の内周面はいずれも略円筒面とされている。また、外輪１の外周面に樹脂等の絶縁被膜や弾性リング等を設けてクリープ防止性能を付与した転がり軸受が提案されている（例えば、特許文献１および２参照）。
【０００３】
【特許文献１】特開平５−２４０２５５号公報
【特許文献２】特開２００６−２２６４８５号公報
【発明の開示】
【発明が解決しようとする課題】
【０００４】
しかしながら、上記特許文献１および２では、外輪１の外周面に設けた樹脂等の絶縁被膜や弾性リングが劣化した場合や、より過酷な使用環境で転がり軸受を使用する場合等においては、クリープ防止性能が十分に機能せず、クリープが発生してしまう問題があった。
【０００５】
本発明は、このような不都合を解消するためになされたものであり、その目的は、クリープ防止性能を向上させることができる転がり軸受を提供することにある。
【課題を解決するための手段】
【０００６】
前述した本発明の目的は、下記の構成により達成される。
（１）  内周面に外輪軌道面を有する外輪と、外周面に内輪軌道面を有する内輪と、外輪軌道面と内輪軌道面との間に転動自在に配設される複数の転動体と、を備える転がり軸受であって、
外輪の外周面および内輪の内周面のうちの少なくとも一方の周面の形状が、該周面から回転中心までの寸法が周方向で異なる部分を有する形状である
ことを特徴とする転がり軸受。
【発明の効果】
【０００７】
本発明の転がり軸受によれば、外輪の外周面および内輪の内周面のうちの少なくとも一方の周面の形状が、該周面から回転中心までの寸法が周方向で異なる部分を有する形状であるため、回転方向の相対すべりが規制されてクリープ防止性能を大幅に向上させることができる。
【発明を実施するための最良の形態】
【０００８】
以下、本発明に係る転がり軸受の一実施形態について、図面を参照しながら詳細に説明する。
図１は本発明に係る転がり軸受の一実施形態を軸方向から見た図、図２〜図７は本発明に係る転がり軸受の一実施形態の第１〜第６の変形例を軸方向から見た図である。
【０００９】
図１に示すように、本実施形態の転がり軸受１０は、内周面に外輪軌道面（不図示）を有する外輪１１と、外周面に内輪軌道面（不図示）を有する内輪１２と、外輪軌道面と内輪軌道面との間に転動自在に配設される複数の転動体（不図示）と、を備える。なお、図示は省略するが、複数の転動体を保持器により円周方向に略等間隔に保持してもよく、また、外輪１１の軸方向の両端部内周面にそれぞれシール部材を装着してもよい。
【００１０】
ここで、本実施形態では、外輪１１の外周形状を正方形とし、内輪１２の内周形状を正方形として、外輪１１の外周面および内輪１２の内周面の形状を、所謂、該周面から回転中心までの寸法が周方向で異なる部分を有する形状としている。
【００１１】
そして、外輪１１の外周部は、該外輪１１の外周形状に対応する正方形の内周形状を有するハウジング等に嵌合され、内輪１２の内周部には、該内輪１２の内周形状に対応する断面正方形状の軸が嵌合される。
【００１２】
以上説明したように、本実施形態の転がり軸受１０によれば、外輪１１の外周面および内輪１２の内周面の形状が、該周面から回転中心までの寸法が周方向で異なる部分を有する正方形状であるため、ハウジングと外輪１１との間および軸と内輪１２との間での回転方向の相対すべりが確実に規制されてクリープ防止性能を大幅に向上させることができる。
【００１３】
次に、図２〜図７を参照して、本発明に係る転がり軸受の一実施形態の第１〜第６の変形例を説明する。
まず、図２に示す第１の変形例の転がり軸受２０は、外輪１１の外周面を円筒面とし、内輪１２の内周面の円周の一部に直線部１２ａを設けて、内輪１２の内周面の形状を、該内周面から回転中心までの寸法が周方向で異なる部分を有する形状としている。
【００１４】
そして、外輪１１の外周部は、該外輪１１の外周形状に対応する円筒面を内周部に有するハウジング等に嵌合され、内輪１２の内周部には、該内輪１２の内周形状に対応して外周面の円周の一部に直線部を設けた軸が嵌合される。
【００１５】
第１の変形例の転がり軸受２０によれば、内輪１２の内周面の形状が、該内周面から回転中心までの寸法が周方向で異なる直線部１２ａを有する形状であるため、軸と内輪１２との間での回転方向の相対すべりが確実に規制されてクリープ防止性能を大幅に向上させることができる。
【００１６】
図３に示す第２の変形例の転がり軸受３０は、外輪１１の外周面を円筒面とし、内輪１２の内周形状を正方形として、内輪１２の内周面の形状を、該内周面から回転中心までの寸法が周方向で異なる部分を有する形状としている。
【００１７】
そして、外輪１１の外周部は、該外輪１１の外周形状に対応する円筒面を内周部に有するハウジング等に嵌合され、内輪１２の内周部には、該内輪１２の内周形状に対応する断面正方形状の軸が嵌合される。
【００１８】
第２の変形例の転がり軸受３０によれば、内輪１２の内周面の形状が、該内周面から回転中心までの寸法が周方向で異なる部分を有する正方形状であるため、軸と内輪１２との間での回転方向の相対すべりが確実に規制されてクリープ防止性能を大幅に向上させることができる。
【００１９】
図４に示す第３の変形例の転がり軸受４０は、外輪１１の外周面を円筒面とし、内輪１２の内周形状を多角の星形形状として、内輪１２の内周面の形状を、該内周面から回転中心までの寸法が周方向で異なる部分を複数有する形状としている。
【００２０】
そして、外輪１１の外周部は、該外輪１１の外周形状に対応する円筒面を内周部に有するハウジング等に嵌合され、内輪１２の内周部には、該内輪１２の内周形状に対応する断面多角星形形状の軸が嵌合される。
【００２１】
第３の変形例の転がり軸受４０によれば、内輪１２の内周面の形状が、該内周面から回転中心までの寸法が周方向で異なる部分を有する多角星形形状であるため、軸と内輪１２との間での回転方向の相対すべりが確実に規制されてクリープ防止性能を大幅に向上させることができる。
【００２２】
図５に示す第４の変形例の転がり軸受５０は、外輪１１の外周面の形状を正方形とし、内輪１２の内周面を円筒面として、外輪１１の外周面の形状を、該外周面から回転中心までの寸法が周方向で異なる部分を有する形状としている。
【００２３】
そして、外輪１１の外周部は、該外輪１１の外周形状に対応する正方形の内周形状を有するハウジング等に嵌合され、内輪１２の内周部には、該内輪１２の内周形状に対応する断面円形状の軸が嵌合される。
【００２４】
第４の変形例の転がり軸受５０によれば、外輪１１の外周面の形状が、該外周面から回転中心までの寸法が周方向で異なる部分を有する正方形であるため、ハウジングと外輪１１との間での回転方向の相対すべりが確実に規制されてクリープ防止性能を大幅に向上させることができる。
【００２５】
図６に示す第５の変形例の転がり軸受６０は、外輪１１の外周面の形状を三角形とし、内輪１２の内周面を円筒面として、外輪１１の外周面の形状を、該外周面から回転中心までの寸法が周方向で異なる部分を有する形状としている。
【００２６】
そして、外輪１１の外周部は、該外輪１１の外周形状に対応する三角形の内周形状を有するハウジング等に嵌合され、内輪１２の内周部には、該内輪１２の内周形状に対応する断面円形状の軸が嵌合される。
【００２７】
第５の変形例の転がり軸受６０によれば、外輪１１の外周面の形状が、該外周面から回転中心までの寸法が周方向で異なる部分を有する三角形であるため、ハウジングと外輪１１との間での回転方向の相対すべりが確実に規制されてクリープ防止性能を大幅に向上させることができる。
【００２８】
図７に示す第６の変形例の転がり軸受７０は、外輪１１の外周面の円周の一部に径方向外側に突出する三角形状の突出部１１ａを設け、内輪１２の内周面を円筒面として、外輪１１の外周面の形状を、該外周面から回転中心までの寸法が周方向で異なる突出部１１ａを有する形状としている。
【００２９】
そして、外輪１１の外周部は、該外輪１１の外周形状に対応して内周部の円周の一部に三角形状の凹部を有するハウジング等に嵌合され、内輪１２の内周部には、該内輪１２の内周形状に対応する断面円形状の軸が嵌合される。
【００３０】
第６の変形例の転がり軸受７０によれば、外輪１１の外周面の形状が、該外周面から回転中心までの寸法が周方向で異なる突出部１１ａを有する形状であるため、ハウジングと外輪１１との間での回転方向の相対すべりが確実に規制されてクリープ防止性能を大幅に向上させることができる。
【００３１】
なお、本発明の外輪、内輪、転動体等の構成および外輪の外周面、内輪の内周面の形状は、上記一実施形態および変形例に例示したものに限定されるものではなく、本発明の要旨を逸脱しない範囲において適宜変更可能である。
【００３２】
例えば、上記実施形態では、転動体として玉を用いた玉軸受に本発明を適用した場合を例示したが、これに限定されず、転動体としてころを用いたころ軸受やその他の転がり軸受に本発明を適用してもよい。
【図面の簡単な説明】
【００３３】
【図１】本発明に係る転がり軸受の一実施形態を軸方向から見た図である。
【図２】本発明に係る転がり軸受の一実施形態の第１の変形例を軸方向から見た図である。
【図３】本発明に係る転がり軸受の一実施形態の第２の変形例を軸方向から見た図である。
【図４】本発明に係る転がり軸受の一実施形態の第３の変形例を軸方向から見た図である。
【図５】本発明に係る転がり軸受の一実施形態の第４の変形例を軸方向から見た図である。
【図６】本発明に係る転がり軸受の一実施形態の第５の変形例を軸方向から見た図である。
【図７】本発明に係る転がり軸受の一実施形態の第６の変形例を軸方向から見た図である。
【図８】従来の転がり軸受を説明するための要部断面図である。
【符号の説明】
【００３４】
１０  転がり軸受
１１  外輪
１２  内輪
【図１】
2009052588.tif 000003
【図２】
2009052588.tif 000004
【図３】
2009052588.tif 000005
【図４】
2009052588.tif 000006
【図５】
2009052588.tif 000007
【図６】
2009052588.tif 000008
【図７】
2009052588.tif 000009
【図８】
2009052588.tif 000010